(57)【特許請求の範囲】
【請求項１】
玄関の来訪者をドアホン子機（１０１）のカメラユニット（１０３）で撮像して映像信号（１０６）を送出し本体装置（２０１）の本体装置モニタユニット（２０７）で出画し、前記来訪者が前記ドアホン子機の子機マイク（１０２）および子機スピーカ（１１４）とコードレス携帯端末子機（３０１）の端末マイク（３０９）および端末スピーカ（３０８）で音声信号（１０５、１１３、３１１、３０５）を送受することにより居住者と通話できるドアホン装置であって、
前記本体装置は、前記ドアホン子機からの前記音声信号、前記映像信号を分離し、分離された前記映像信号を前記本体装置モニタユニットに出力する第１の本体装置分離回路（２０３）と、分離された前記映像信号、前記音声信号を多重する映像・音声多重回路（２０９）と、多重された前記映像信号、前記音声信号で変調されたＲＦ信号を出力する本体装置ＲＦ送受信回路（２１２）と、前記コードレス携帯端末子機から前記ＲＦ送受信回路を介して送出されてきた前記音声信号を分離し、分離された音声信号を前記ドアホン子機側に伝送する第２の本体装置分離回路（２１３）とを備え、
前記コードレス携帯端末子機は、前記本体装置から送出されてきたＲＦ信号を受信する端末ＲＦ送受信回路（３１７）と、受信されたＲＦ信号から映像信号を分離する端末分離回路（３０３）と、分離された前記映像信号を出画する端末モニタユニット（３０６）と、前記端末マイクからの音声信号を多重し、前記端末ＲＦ送受信回路に送出する端末多重回路（３１６）とを備えたことを特徴とするドアホン装置。
【請求項２】
前記コードレス携帯端末子機は、前記端末モニタユニットで出画された来訪者を視認して、前記端末多重回路に解錠制御データ信号（３１４）を送出し、前記端末ＲＦ送受信回路、前記本体装置ＲＦ送受信回路、前記第２の本体装置分離回路を介して電気錠ユニット（２０８）を解錠する電気錠解錠ボタン（３１２）を備えたことを特徴とする請求項１記載のドアホン装置。
【請求項３】
前記ドアホン子機は、前記カメラユニットを前記コードレス携帯端末子機から送出されてきたパン・チルト制御データ信号（３１５、１１１）によりパン・チルト制御するモータユニット（１１２）と、前記パン・チルト制御データ信号を分離する子機分離回路（１１９）とを備え、前記コードレス携帯端末子機は、前記端末モニタユニットで出画された来訪者を視認して、前記端末多重回路に前記パン・チルト制御データ信号を送出し、前記端末ＲＦ送受信回路、前記本体装置ＲＦ送受信回路、前記子機分離回路を介して前記モータユニットを駆動して前記カメラユニットをパン・チルト制御するモータ制御器（３１３）を備えたことを特徴とする請求項１記載のドアホン装置。
【発明の詳細な説明】
【０００１】
【発明の属する技術分野】
本発明はドアホン装置に係わり、特に映像信号をコードレス携帯端末子機に伝送し、制御データ信号をコードレス携帯端末子機から伝送できるようにしたドアホン装置に関する。
【０００２】
【従来の技術】
従来から、ドアホン装置として、図２に示すような回路構成が提案されている。
同図において、玄関先の来客者の音声はドアホン子機５０１の子機マイク５０２で電気信号に変換されハイブリッド回路５０３で４線２線変換されて伝送路１１０を経由してインターホン親機６０１に入力される。インターホン親機６０１のハイブリッド回路６０２で２線４線変換されＦＭ電波送信回路６０３でＦＭ変調され送受信アンテナからＦＭ電波６０５として送出される。コードレスハンドセット７０１はＦＭ電波６０５を送受信アンテナで受信しＦＭ電波受信回路７０２で電気的音声信号にもどしスピーカアンプ７０３を介して入力されるスピーカ７０４から玄関先の音声を送出する。
【０００３】
コードレスハンドセット７０１のマイク７０５で拾った音声信号はマイクアンプ７０６を介して入力されるＦＭ電波送信回路７０７でＦＭ変調され送受信アンテナからＦＭ電波７０８として送出される。インターホン親機６０１はＦＭ電波７０８を送受信アンテナで受信しＦＭ電波受信回路６０４で電気的音声信号にもどしハイブリッド回路６０２、伝送路１１０を介してドアホン子機５０１に入力され、ハイブリッド回路５０３を介して子機スピーカ５０４から音声を送出する。
【０００４】
【発明が解決しようとする課題】
このドアホン装置においては、玄関の来訪者がドアホン子機の子機マイクおよび子機スピーカで居住者がコードレスハンドセットのマイクおよびスピーカで音声信号を送受することにより通話ができる。このドアホン装置において、玄関の来訪者をドアホン子機に設けたカメラユニットで撮像して映像信号を送出しインターホン親機のモニタユニットで出画したり、またインターホン親機から電気錠解錠データ信号やカメラユニットのパン・チルト制御データ信号を送り玄関に設けた電気錠ユニットを解錠し、ドアホン子機に設けたカメラユニットをパン・チルト制御することも可能である。
【０００５】
しかしながら、このようなドアホン装置ではドアホン子機のカメラユニットで撮像した映像信号をコードレスハンドセットに伝送したり、電気錠解錠データ信号やカメラユニットのパン・チルト制御データ信号のような制御データ信号をコードレスハンドセットから電気錠ユニットやカメラユニットに伝送できないという難点があった。
【０００６】
【発明の目的】
本発明は上述した難点に鑑みなされたもので、映像信号をコードレス携帯端末子機に伝送し、制御データ信号をコードレス携帯端末子機から伝送できるようにしたドアホン装置を提供することを目的としている。
【０００７】
【課題を解決するための手段】
この目的を達成するため本発明のドアホン装置は、玄関の来訪者をドアホン子機のカメラユニットで撮像して映像信号を送出し本体装置の本体装置モニタユニットで出画し、来訪者がドアホン子機の子機マイクおよび子機スピーカとコードレス携帯端末子機の端末マイクおよび端末スピーカで音声信号を送受することにより居住者と通話できるようにしたものである。
【０００８】
本体装置は、ドアホン子機からの音声信号、映像信号を分離し、分離された映像信号を本体装置モニタユニットに出力する第１の本体装置分離回路と、分離された映像信号、音声信号を多重する映像・音声多重回路と、多重された映像信号、音声信号で変調されたＲＦ信号を出力する本体装置ＲＦ送受信回路と、コードレス携帯端末子機からＲＦ送受信回路を介して送出されてきた音声信号を分離し、分離された音声信号をドアホン子機側に伝送する第２の本体装置分離回路とを備え、コードレス携帯端末子機は、本体装置から送出されてきたＲＦ信号を受信する端末ＲＦ送受信回路と、受信されたＲＦ信号から映像信号を分離する端末分離回路と、分離された映像信号を出画する端末モニタユニットと、端末マイクからの音声信号を多重し、端末ＲＦ送受信回路に送出する端末多重回路とを備えている。
【０００９】
コードレス携帯端末子機は、端末モニタユニットで出画された来訪者を視認して、端末多重回路に解錠制御データ信号を送出し、端末ＲＦ送受信回路、本体装置ＲＦ送受信回路、第２の本体装置分離回路を介して電気錠ユニットを解錠する電気錠解錠ボタンを備えている。
ドアホン子機は、カメラユニットをコードレス携帯端末子機から送出されてきたパン・チルト制御データ信号によりパン・チルト制御するモータユニットと、パン・チルト制御データ信号を分離する子機分離回路とを備え、コードレス携帯端末子機は、端末モニタユニットで出画された来訪者を視認して、端末多重回路にパン・チルト制御データ信号を送出し、端末ＲＦ送受信回路、本体装置ＲＦ送受信回路、子機分離回路を介してモータユニットを駆動してカメラユニットをパン・チルト制御するモータ制御器を備えている。
【００１０】
このドアホン装置において、玄関の来訪者によるドアホン子機からコードレス携帯端末子機に呼出がかかると、玄関の来訪者はドアホン子機のカメラユニットで撮像され映像信号を子機多重回路で多重し、伝送路を経由して送出し本体装置に入力される。本体装置では第１の本体装置分離回路で映像信号を分離し、分離された映像信号を本体装置モニタユニットで出画する。また、分離された映像信号は映像・音声多重回路で多重され本体装置ＲＦ送受信回路からＲＦ信号の電波としてコードレス携帯端末子機に送信される。コードレス携帯端末子機では送信されてきた映像信号のＲＦ信号を端末ＲＦ送受信回路で受信し、受信されたＲＦ信号から映像信号を端末分離回路で分離し、分離された映像信号を端末モニタユニットで出画する。
【００１１】
一方、玄関先の来客者の音声は、ドアホン子機のマイクで音声信号に変換され本体装置に入力される。本体装置では第１の本体装置分離回路で音声信号を分離し、分離された音声信号は映像・音声多重回路で多重され本体装置ＲＦ送受信回路からＲＦ信号の電波としてコードレス携帯端末子機に送信される。コードレス携帯端末子機では送信されてきた音声信号のＲＦ信号を端末ＲＦ送受信回路で受信し、受信されたＲＦ信号から音声信号を端末分離回路で分離し、分離された音声信号を端末スピーカから放音する。
【００１２】
他方、コードレス携帯端末子機の携帯者、即ち居住者による音声は、ドアホン子機の端末マイクで音声信号に変換され端末多重回路で音声信号を多重し、端末ＲＦ送受信回路に送出する。端末ＲＦ送受信回路は音声信号をＲＦ信号の電波として本体装置に送信する。本体装置ではコードレス携帯端末子機から電波で送出されてきた音声信号をＲＦ送受信回路で受信し、第２の本体装置分離回路で音声信号を分離し、分離された音声信号をドアホン子機側に伝送する。ドアホン子機では伝送されてきた音声信号を子機スピーカから放音する。
【００１３】
また、コードレス携帯端末子機は、端末モニタユニットで出画された来訪者を視認して、電気錠解錠ボタンを操作して端末多重回路に解錠制御データ信号を送出し、端末ＲＦ送受信回路、本体装置の本体装置ＲＦ送受信回路、第２の本体装置分離回路を介して電気錠ユニットを解錠制御データ信号で解錠する。さらに、コードレス携帯端末子機は、端末モニタユニットで出画された来訪者を視認して、モータ制御器を操作し端末多重回路にパン・チルト制御データ信号を送出し、端末ＲＦ送受信回路、本体装置の本体装置ＲＦ送受信回路、ドアホン子機の子機分離回路を介してパン・チルト制御データ信号でモータユニットを駆動してカメラユニットをパン・チルト制御することができる。
【００１４】
【発明の実施の形態】
以下、本発明のドアホン装置における好ましい実施の形態例を図面にしたがって説明する。
図１において、本発明のドアホン装置は、玄関の来訪者をドアホン子機１０１のカメラユニット１０３で撮像して映像信号１０６を送出し本体装置２０１の本体装置モニタユニット２０７で出画し、居住者がドアホン子機１０１の子機マイク１０２および子機スピーカ１１４とコードレス携帯端末子機３０１の端末マイク３０９および端末スピーカ３０８で音声信号１０５、１１３、３１１、３０５を送受することにより居住者と通話できるようにしたものである。
【００１５】
ドアホン子機１０１と本体装置２０１は、伝送路１１０を介して接続され、ドアホン子機１０１の子機マイク１０２および子機スピーカ１１４はハイブリッド回路１０９を介して伝送路１１０に接続されている。
ドアホン子機１０１は、伝送路１１０に接続され映像信号１０６を多重する子機多重回路１１８を備えている。
【００１６】
本体装置２０１は、ドアホン子機１０１からの音声信号１０５、映像信号１０６を分離し、分離された映像信号２０５を本体装置モニタユニット２０７に出力し伝送路１１０に接続された第１の本体装置分離回路２０３と、分離された映像信号２０５、音声信号２０４を多重する映像・音声多重回路２０９と、多重された映像信号、音声信号で変調されたＲＦ信号を電波ｆ１として出力する本体装置ＲＦ送受信回路２１２と、コードレス携帯端末子機３０１から電波ｆ２としてＲＦ送受信回路２１２を介して送出されてきた音声信号３１１を分離し、分離された音声信号をドアホン子機１０１側に伝送する第２の本体装置分離回路２１３とを備えている。
【００１７】
本体装置２０１の第２の本体装置分離回路２１３はハイブリッド回路２０２を介して伝送路１１０に接続されている。コードレス携帯端末子機３０１は、本体装置２０１から電波ｆ１として送出されてきたＲＦ信号を受信する端末ＲＦ送受信回路３１７と、受信されたＲＦ信号から映像信号２０５を分離する端末分離回路３０３と、分離された映像信号３０４を出画する端末モニタユニット３０６と、端末マイク３０９からのマイクアンプ３１０を介して入力される音声信号３１１を多重し、端末ＲＦ送受信回路３１７に送出する端末多重回路３１６とを備えている。なお、コードレス携帯端末子機３０１の端末スピーカ３０８には音声信号３０５がスピーカアンプ３０７を介して入力される。
【００１８】
コードレス携帯端末子機３０１は、端末モニタユニット３０６で出画された来訪者を視認して、端末多重回路３１６に解錠制御データ信号３１４を送出し、端末ＲＦ送受信回路３１７、本体装置ＲＦ送受信回路２１２、第２の本体装置分離回路２１３を介して電気錠ユニット２０８を解錠制御データ信号２１５で解錠する電気錠解錠ボタン３１２を備えている。
【００１９】
ドアホン子機１０１は、カメラユニット１０３をコードレス携帯端末子機３０１から送出されてきたパン・チルト制御データ信号３１５によりパン・チルト制御データ信号１１１でパン・チルト制御するモータユニット１１２と、伝送路１１０に接続されパン・チルト制御データ信号１１１を分離する子機分離回路１１９とを備えている。
【００２０】
コードレス携帯端末子機３０１は、端末モニタユニット３０６で出画された来訪者を視認して、端末多重回路３１６にパン・チルト制御データ信号３１５を送出し、端末ＲＦ送受信回路３１７、本体装置ＲＦ送受信回路２１２、子機分離回路１１９を介してパン・チルト制御データ信号１１１でモータユニット１１２を駆動してカメラユニット１０３をパン・チルト制御するモータ制御器３１３を備えている。
【００２１】
ドアホン子機１０１の子機多重回路１１８には、電気錠ユニット２０８を解錠制御データ信号１０７で解錠する電気錠キー操作ユニット１０４が接続されている。
本体装置２０１には本体装置ＲＦ送受信回路２１２から起動信号ｔ１で起動される外線ＩＦ回路２１０が設けられ、外線ＩＦ回路２１０の出力側は第２の本体装置分離回路２１３の入力側に接続され、映像・音声多重回路２０９の出力側は外線ＩＦ回路２１０の入力側に接続されている。外線ＩＦ回路２１０は音声・映像信号ｆ５、音声・データ信号ｆ６を電波ｆ３、ｆ４で送受する携帯端末基地局Ｓｔｎに電話回線Ｌを介して接続されている。
【００２２】
このように構成されたドアホン装置において、玄関の来訪者によるドアホン子機１０１からコードレス携帯端末子機３０１に呼出がかかると、玄関の来訪者はドアホン子機１０１のカメラユニット１０３で撮像され映像信号１０６を子機多重回路１１８で多重し、伝送路１１０を経由して送出し本体装置２０１に入力される。
【００２３】
本体装置２０１では第１の本体装置分離回路２０３で映像信号１０６を分離し、分離された映像信号２０５を本体装置モニタユニット２０７で出画する。また、分離された映像信号２０５は映像・音声多重回路２０９で多重され本体装置ＲＦ送受信回路２１２からＲＦ信号の電波ｆ１としてコードレス携帯端末子機３０１に送信される。コードレス携帯端末子機３０１では送信されてきた映像信号２０５のＲＦ信号を端末ＲＦ送受信回路３１７で受信し、受信されたＲＦ信号から映像信号２０５を端末分離回路３０３で分離し、分離された映像信号３０４を端末モニタユニット３０６で出画する。
【００２４】
一方、玄関先の来客者の音声は、ドアホン子機１０１の子機マイク１０２で音声信号１０５に変換されハイブリッド回路１０９で４線２線変換されて伝送路１１０を経由して本体装置２０１に入力される。本体装置２０１では第１の本体装置分離回路２０３で音声信号１０５を分離し、分離された音声信号２０４は映像・音声多重回路２０９で多重され本体装置ＲＦ送受信回路２１２からＲＦ信号の電波ｆ１としてコードレス携帯端末子機３０１に送信される。コードレス携帯端末子機３０１では送信されてきた音声信号２０４のＲＦ信号を端末ＲＦ送受信回路３１７で受信し、受信されたＲＦ信号から音声信号３０５を端末分離回路３０３で分離し、分離された音声信号３０５をスピーカアンプ３０７を介して端末スピーカ３０８から放音する。
【００２５】
他方、コードレス携帯端末子機３０１の携帯者、即ち居住者による音声は、ドアホン子機１０１の端末マイク３０９で音声信号３１１に変換されマイクアンプ３１０を介して入力される端末多重回路３１６で音声信号３１１を多重し、端末ＲＦ送受信回路３１７に送出する。端末ＲＦ送受信回路３１７は音声信号３１１をＲＦ信号の電波ｆ２として本体装置２０１に送信する。本体装置２０１ではコードレス携帯端末子機３０１から電波ｆ２で送出されてきた音声信号３１１をＲＦ送受信回路２１２で受信し、第２の本体装置分離回路２１３で音声信号３１１を分離し、分離された音声信号２１４をハイブリッド回路２０２で４線２線変換されて伝送路１１０を経由してドアホン子機１０１側に伝送する。ドアホン子機１０１では伝送されてきた音声信号２１４をハイブリッド回路２０２で２線４線変換されその音声信号１１３を子機スピーカ１１４から放音する。
【００２６】
このようにして玄関の来訪者をドアホン子機１０１のカメラユニット１０３で撮像して映像信号１０６を送出し本体装置２０１の本体装置モニタユニット２０７とコードレス携帯端末子機３０１の端末モニタユニット３０６で出画し、居住者がドアホン子機１０１の子機マイク１０２および子機スピーカ１１４とコードレス携帯端末子機３０１の端末マイク３０９および端末スピーカ３０８で音声信号１０５、１１３、３１１、３０５を送受することにより居住者と通話ができる。
【００２７】
また、コードレス携帯端末子機３０１は、端末モニタユニット３０６で出画された来訪者を視認して、電気錠解錠ボタン３１２を操作して端末多重回路３１６に解錠制御データ信号３１４を送出し、端末ＲＦ送受信回路３１７、本体装置２０１の本体装置ＲＦ送受信回路２１２、第２の本体装置分離回路２１３を介して電気錠ユニット２０８を解錠制御データ信号２１５で解錠する。
【００２８】
ドアホン子機１０１でも電気錠キー操作ユニット１０４を操作し解錠制御データ信号１０７を送出することによりその子機多重回路１１８、伝送路１１０、第１の本体装置分離回路２０３を経由して電気錠ユニット２０８を解錠制御データ信号２０６で解錠することができる。
さらに、コードレス携帯端末子機３０１は、端末モニタユニット３０６で出画された来訪者を視認して、モータ制御器３１３を操作し端末多重回路３１６にパン・チルト制御データ信号３１５を送出し、端末ＲＦ送受信回路３１７、本体装置２０１の本体装置ＲＦ送受信回路２１２、第２の本体装置分離回路２１３からパン・チルト制御データ信号２１６としてハイブリッド回路２０２、伝送路１１０を経由しドアホン子機１０１の子機分離回路１１９を介してパン・チルト制御データ信号１１１でモータユニット１１２を駆動してカメラユニット１０３をパン・チルト制御する。
【００２９】
以上の説明はドアホン子機１０１からの音声、映像、データ信号１０５、１０６、１０７が、本体装置２０１に伝送されると、まず内線モードで電波ｆ１をＲＦ送受信回路２１２から送出し、コードレス携帯端末子機３０１が、本体装置２０１の電波の受信範囲であれば、コードレス携帯端末子機３０１から応答するときの例である。
【００３０】
しかしながら、コードレス携帯端末子機が電波の受信範囲にない場合には応答がないので、ＲＦ送受信回路２１２は制御起動信号ｔ１を外線ＩＦ回路２１０に送ることによって、外線ＩＦ回路２１０を起動させ、ダイヤルアップして携帯基地局Ｓｔｎと接続し、音声・映像信号ｆ５を伝送する。伝送された音声・映像信号ｆ５は携帯基地局Ｓｔｎから、電波ｆ３として、コードレス携帯端末子機３０１に送られる。コードレス携帯端末子機３０１からの音声・データ信号ｆ６も同じように、電波ｆ４で送られ、携帯基地局Ｓｔｎを通じて、電話回線Ｌにより、外線ＩＦ回路２１０を介して本体装置２０１に音声・データ信号ｆ６が送られる。その後の動作は上記したものと同様である。
【００３１】
【発明の効果】
以上の説明から明らかなように、本発明のドアホン装置によれば、映像信号をコードレス携帯端末子機に伝送し、制御データ信号をコードレス携帯端末子機から伝送することができる。
【図面の簡単な説明】
【図１】  本発明のドアホン装置の一実施例を示す回路構成図。
【図２】  従来のドアホン装置の回路構成図。
【符号の説明】
１０１‥‥‥ドアホン子機
１０２‥‥‥子機マイク
１０３‥‥‥カメラユニット
１０５、１１３‥‥‥音声信号
１０６‥‥‥映像信号
１１２‥‥‥モータユニット
１１４‥‥‥子機スピーカ
１１９‥‥‥子機分離回路
２０１‥‥‥本体装置
２０３‥‥‥第１の本体装置分離回路
２０７‥‥‥本体装置モニタユニット
２０８‥‥‥電気錠ユニット
２０９‥‥‥映像・音声多重回路
２１２‥‥‥本体装置ＲＦ送受信回路
２１３‥‥‥第２の本体装置分離回路
３０１‥‥‥コードレス携帯端末子機
３０３‥‥‥端末分離回路
３０５、３１１‥‥‥音声信号
３０６‥‥‥端末モニタユニット
３０８‥‥‥端末スピーカ
３０９‥‥‥端末マイク
３１２‥‥‥電気錠解錠ボタン
３１３‥‥‥モータ制御器
３１４‥‥‥解錠制御データ信号
３１５、１１１‥‥‥パン・チルト制御データ信号
３１６‥‥‥端末多重回路
３１７‥‥‥端末ＲＦ送受信回路
【図１】
0004148306.tif 000002
【図２】
0004148306.tif 000003